(57)【要約】【課題】ＰＨＳの運転に重要な制御チャネルへの有害な電波干渉を避けることができる無線通信装置および無線信号判別方法を提供する。【解決手段】コードレス電話機の親機には、中間周波数帯域にダウンコンバートされたＤＥＣＴ方式の１チャネル分の帯域を通過させる第１のバンドパスフィルタと、その１チャネルの帯域に含まれるＰＨＳ方式の制御チャネルの帯域を通過させる第２のバンドパスフィルタとが設けられている。第１のバンドパスフィルタを通過した受信信号の信号レベルと第２受信レベル検出部により測定された第２のバンドパスフィルタを通過した受信信号の信号レベルを比較し、ほぼ等しいと見なすことができれば、受信信号はＰＨＳ方式の制御チャネルによるものと判定できるので、制御部はこのチャネルによる通信を停止することでＰＨＳへの通信の影響を抑止する。【選択図】図５
2011239171.tif 000002
【特許請求の範囲】
【請求項１】
第１の変調方式を用いて変調された第１の帯域幅の無線信号を用いて送受信を行う無線システムの無線通信装置であって、
アンテナより入来する信号を受けて、前記第１の帯域幅の全体と前記第１の帯域幅の一部と重複する第２の帯域幅の全体とを通過させる帯域を有する第１のバンドパスフィルタと、
アンテナより入来する信号を受けて、前記第１の帯域幅の一部と前記第２の帯域幅の全体とを通過させる帯域を有する第２のバンドパスフィルタと、
前記第１のバンドパスフィルタを通過した信号レベルと前記第２のバンドパスフィルタを通過した信号レベルとの差分が所定の閾値以内である場合に、前記アンテナより入来する信号は前記第２の帯域幅を持つ第２の変調方式を用いる他の無線システムの装置から出力された信号であると判断する制御部と
を有することを特徴とする無線通信装置。
【請求項２】
前記制御部は、前記第１のバンドパスフィルタを通過した信号レベルが前記第２のバンドパスフィルタを通過した信号レベルより予め決められた値以上高い時に
前記アンテナより入来する無線信号が第１の変調方式を用いて変調された無線信号であると判断する
ことを特徴とする請求項１記載の無線通信装置。
【請求項３】
アンテナより入来する信号を所定の中間周波数帯域へダウンコンバートする受信周波数変換部を有し、
前記第１のバンドパスフィルタは前記受信周波数変換部から出力される信号の中の前記第１の帯域幅の全体と、前記第１の帯域幅の一部と重複するＰＨＳのチャネル幅を通過させる帯域を有し、
前記第２のバンドパスフィルタは前記受信周波数変換部から出力される信号の中のＰＨＳの１つのチャネル幅のみを通過させる通過幅を有し、
前記第１のバンドパスフィルタを通過した受信信号を復調処理し、所定のスレッシュレベルを使って２値化した復調信号を出力する復調部を有し、
前記制御部は、前記第１のバンドパスフィルタを通過した信号レベルと、前記第２のバンドパスフィルタを通過した信号レベルとの差分が所定の閾値以内である場合にその時の受信信号はＰＨＳの信号であると判断することを特徴とする請求項１記載の無線通信装置。
【請求項４】
前記第２のバンドパスフィルタを通過した信号レベルに関する閾値をＳ１、前記第１のバンドパスフィルタを通過した信号レベルに関する閾値をＳ２とした場合に、
前記制御部は、
前記第２のバンドパスフィルタを通過した信号レベルが閾値Ｓ１以上である時に、前記第１のバンドパスフィルタを通過した信号レベルと、前記第２のバンドパスフィルタを通過した信号レベルとの差分を算出して、この差分が閾値以内であるか否かを判断することを特徴とする請求項１から３のいずれかの項に記載の無線通信装置。
【請求項５】
前記制御部は、
前記第２のバンドパスフィルタを通過した信号レベルが閾値Ｓ１以上で、かつ前記第１のバンドパスフィルタを通過した信号レベルが閾値Ｓ２以上である場合にその時の受信信号はＰＨＳの信号であると判断し、前記第２のバンドパスフィルタを通過した信号レベルが閾値Ｓ１未満である場合はその時の受信信号はＰＨＳ以外であると判断することを特徴とする請求項４記載の無線通信装置。
【請求項６】
閾値Ｓ１と閾値Ｓ２とを閾値Ｓ１＜閾値Ｓ２の関係とした場合に、
前記制御部は、前記第２のバンドパスフィルタを通過した信号レベルが閾値Ｓ１未満で、かつ前記第１のバンドパスフィルタを通過した信号レベルが閾値Ｓ２未満であれば、受信信号がＰＨＳであっても受信レベルが低いと判断して通信を許可することを特徴とする請求項５記載の無線通信装置。
【請求項７】
前記制御部は、前記アンテナより入来する信号が、前記第２の帯域幅を持つ第２の変調方式を用いる他の無線システムの装置から出力された信号であると判断した時に、前記第１の帯域幅の無線信号を送信する送信部による送信処理を停止することを特徴とする請求項１から６のいずれかの項に記載の無線通信装置。
【請求項８】
第１の変調方式を用いて変調された第１の帯域幅の無線信号を用いて送受信を行う無線システムの無線通信装置であって、
アンテナより入来する信号を受けて、前記第１の帯域幅の全体と前記第１の帯域幅の一部と重複する第２の帯域幅の全体とを通過させる帯域を有する第１のバンドパスフィルタと、
アンテナより入来する信号を受けて、前記第１の帯域幅の一部と前記第２の帯域幅の全体とを通過させる帯域を有する第２のバンドパスフィルタと、
前記第１のバンドパスフィルタを通過した信号のレベルが第１の所定の値を越えた時に測定を開始し、前記第２のバンドパスフィルタを通過した信号のレベルが第２の所定の閾値を越えた時の時間および第２の所定の閾値を越えた区間の継続時間を測定するタイミング計測部と、
前記タイミング計測部による計測結果がその時の受信信号は前記第１の帯域幅より狭い第２の帯域幅を持つ第２の変調方式を用いる他の無線システムの送信パターンに一致したことを示す場合に、その時の受信信号は他の無線システムの信号であると判断する制御部とを有することを特徴とする無線通信装置。
【請求項９】
アンテナより入来する信号を所定の中間周波数帯域へダウンコンバートする受信周波数変換部を有し、
前記第１のバンドパスフィルタは前記受信周波数変換部から出力される信号の中の前記第１の帯域幅の全体と、前記第１の帯域幅の一部と重複するＰＨＳのチャネル幅を通過させる帯域を有し、
前記第２のバンドパスフィルタは前記受信周波数変換部から出力される信号の中のＰＨＳの１つのチャネル幅のみを通過させる通過幅を有し、
前記第１のバンドパスフィルタを通過した受信信号を復調処理し、所定のスレッシュレベルを使って２値化した復調信号を出力する復調部を有し、
前記制御部は、前記タイミング計測部による計測結果がその時の受信信号は前記第１の帯域幅より狭い第２の帯域幅を持つＰＨＳの送信パターンに一致したことを示す場合に、その時の受信信号はＰＨＳの信号であると判断することを特徴とする請求項８記載の無線通信装置。
【請求項１０】
前記制御部は、前記第２のバンドパスフィルタを通過した信号のレベルが第２の所定の値を越えた時の発生周期がＰＨＳの制御チャネルの送信周期に一致した場合にその時の受信信号はＰＨＳの信号であると判断することを特徴とする請求項８記載の無線通信装置。
【請求項１１】
前記第２のバンドパスフィルタを通過した信号レベルに関する閾値をＳ１、前記第１のバンドパスフィルタを通過した信号レベルに関する閾値をＳ２とした場合に、
前記制御部は、
前記第２のバンドパスフィルタを通過した信号レベルが閾値Ｓ１未満である時に、前記タイミング計測部による計測結果に基づいて、受信信号が第２の変調方式を用いる他の無線システムの送信パターンに一致したか否かを判断することを特徴とする請求項８から１０のいずれかの項に記載の無線通信装置。
【請求項１２】
前記制御部は、前記アンテナより入来する信号が、前記第２の帯域幅を持つ第２の変調方式を用いる他の無線システムの装置から出力された信号であると判断した時に、前記第１の帯域幅の無線信号を送信する送信部による送信処理を停止することを特徴とする請求項８から１１のいずれかの項に記載の無線通信装置。
【請求項１３】
第１の変調方式を用いて変調された第１の帯域幅の無線信号を用いて送受信を行う無線システムの無線信号判別方法であって、
アンテナより入来する信号を受けて、第１のバンドパスフィルタにより、前記第１の帯域幅の全体と前記第１の帯域幅の一部と重複する第２の帯域幅の全体とを通過させるステップと、
アンテナより入来する信号を受けて、第２のバンドパスフィルタにより、前記第１の帯域幅の一部と前記第２の帯域幅の全体とを通過させるステップと、
制御部により、前記第１のバンドパスフィルタを通過した信号レベルと前記第２のバンドパスフィルタを通過した信号レベルとの差分を算出し、その算出結果が所定の閾値以内である場合に、前記アンテナより入来する信号は前記第２の帯域幅を持つ第２の変調方式を用いる他の無線システムの装置から出力された信号であると判断するステップとを含むことを特徴とする無線信号判別方法。
【請求項１４】
第１の変調方式を用いて変調された第１の帯域幅の無線信号を用いて送受信を行う無線システムの無線信号判別方法であって、
アンテナより入来する信号を受けて、第１のバンドパスフィルタにより、前記第１の帯域幅の全体と前記第１の帯域幅の一部と重複する第２の帯域幅の全体とを通過させるステップと、
アンテナより入来する信号を受けて、第２のバンドパスフィルタにより、前記第１の帯域幅の一部と前記第２の帯域幅の全体とを通過させるステップと、
タイミング計測部により、前記第１のバンドパスフィルタを通過した信号のレベルが第１の所定の値を超えた時に測定を開始し、前記第２のバンドパスフィルタを通過した信号のレベルが第２の所定の閾値を越えた時の時間および第２の所定の閾値を越えた区間の継続時間を測定するステップと、
制御部により、前記タイミング計測部による計測結果がその時の受信信号は前記第１の帯域幅より狭い第２の帯域幅を持つ第２の変調方式を用いる他の無線システムの送信パターンに一致したことを示す場合に、その時の受信信号は他の無線システムの信号であると判断するステップとを含むことを特徴とする無線信号判別方法。
【発明の詳細な説明】
【技術分野】
【０００１】
本発明は、デジタルコードレス電話機に応用可能な無線通信装置および無線信号判別方法に関する。
【背景技術】
【０００２】
わが国では、デジタルコードレス電話機が利用可能な周波数帯域として、図１に示すように、自営型のＰＨＳ（以下「自営ＰＨＳ」という。）では１８９３．５ＭＨｚ〜１９０６．１ＭＨｚが割り当てられている。自営ＰＨＳとは、ＰＨＳ方式のコードレス電話機の親機と子機との間で移動体通信として利用する形態のことである。
【０００３】
ここで、現在、１８９３．５ＭＨｚ〜１９０６．１ＭＨｚの上記周波数帯域は、ＰＨＳ方式のみが使用している。ＰＨＳ方式では、５ｍｓ周期の１フレームに８スロット（アップリンク用に４スロット、ダウンリンク用に４スロット）を含んで構成されるＴＤＭＡ（時分割多元接続：Ｔｉｍｅ  Ｄｉｖｉｓｉｏｎ  Ｍｕｌｔｉｐｌｅ  Ａｃｃｅｓｓ）／ＴＤＤ（時分割複信：Ｔｉｍｅ  Ｄｉｖｉｓｉｏｎ  Ｄｕｐｌｅｘ）方式を採用している。通常、１スロットペアを制御チャネルとして割り当て、３スロットペアを通話チャネルとして割り当てている。
【０００４】
またＰＨＳ方式では、固定局から制御信号が間欠的に送信される。自営ＰＨＳの固定局が制御信号を送信する周期は固定局毎に変えられており、自営ＰＨＳの各固定局は１２５ｍｓ以上／３００ｍｓ以下の範囲で、固定局毎に決められた５ｍｓ刻みの任意の時間位置で間欠的に制御信号を送信する。例えば、ある固定局があるタイミングで制御信号を送信すると、次の制御信号の送信は１２５ｍｓ後、または１２５ｍｓに５ｍｓの倍数を足した３００ｍｓ以下の時間間隔をおいて周期的に制御信号を送信し、隣接する固定局同士で送信周期が一致しない（５ｍｓの倍数だけ異なる）ようにしている。
【０００５】
また、ＰＨＳ方式の制御チャネルの周波数は、自営ＰＨＳでは、１８９８．４５０ＭＨｚ、１９００．２５０ＭＨｚの周波数が固定的に割り当てられる。
【０００６】
また、ＰＨＳ方式の通話チャネルは、制御チャネル上での要求／応答で割り当てられ、例えば、自営ＰＨＳでは、全４０周波数が確保される。
【０００７】
そこで、将来、１８９３．５ＭＨｚ〜１９０６．１ＭＨｚの上記周波数帯域を利用するシステムとして、図１に示すように、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）規格に準拠したデジタルコードレス電話機システム（以下、ＤＥＣＴシステムと呼称する）を追加することが検討されている。
【０００８】
新しい方式として導入が検討されているＤＥＣＴ方式では、１０ｍｓ周期の１フレームに２４スロット（アップリンク用に１２スロット、ダウンリンク用に１２スロット）を含んで構成されるＴＤＭＡ／ＴＤＤ方式を採用している。また、最低１スロットの制御チャネルスロットを備えており、制御チャネルも通話チャネルも１０ｍｓのフレーム周期で送受信される。また、各々の周波数／スロット位置は任意であり、周波数は、全５周波数で検討されている。
【０００９】
ここで、従来の干渉防止技術の一例として、以下の特許文献１〜５が存在する。
【００１０】
例えば、特許文献１に記載の技術では、周波数帯が近接する２つの無線システムにおいて干渉が発生する可能性がある場合に、干渉が発生しているかどうかを検出し、使用周波数を干渉の影響が小さいと推定される周波数範囲に制限している。
【００１１】
また、特許文献２に記載の技術では、近隣で他のデジタルコードレス電話機装置が通話中の場合、この電話装置の送受信のタイミングを検出し、このタイミングと干渉しないスロット位置にて送受信を行っている。
【００１２】
また、特許文献３に記載の技術では、自己占有スロット位置と他機占有スロット位置とが重なった際、先頭の空きビーコンスロット位置に、自己占有スロット位置を変更している。
【００１３】
また、特許文献４に記載の技術では、利用可能なアクセススロットを用いて情報ブロックを送信機から受信機に送信し、この情報ブロックが受信機において衝突なく適切に受信された場合、他の情報ブロックについても送信している。
【００１４】
また、特許文献５に記載の技術では、予め非同期干渉回避用の予備チャネルを用意して通信信号とともに移動機に対して通知しておき、非同期干渉を検出したときに、予備チャネルへ切り替えている。
【先行技術文献】
【特許文献】
【００１５】
【特許文献１】特開２００２−３５３８７８号公報
【特許文献２】特開平４−２８６４３１号公報
【特許文献３】特開２００７−２４３７４９号公報
【特許文献４】特開２００１−１６９３３１号公報
【特許文献５】特開平７−６７１６９号公報
【発明の概要】
【発明が解決しようとする課題】
【００１６】
しかしながら、ＤＥＣＴシステムの通信効率を向上させるためには、当該制御信号の送信タイミングの予測を正確に行う必要があるが、前述のようにＰＨＳの制御信号は５ｍｓ毎または５ｍｓの倍数の間隔をおいて送信されるので、ＤＥＣＴ端末において受信部で検知された信号がＰＨＳ制御信号であるか判別が難しいという問題点があった。
【００１７】
また、近くに自システムと同期が取れていない他のＤＥＣＴ端末が存在する場合、この他のＤＥＣＴシステムの端末も１０５ｍｓ毎に制御信号を送信しており、この送信タイミングが５ｍｓの倍数であるため、ＰＨＳの制御信号とＤＥＣＴの制御信号の判別が難しいという問題点があった。
【００１８】
具体的には、電波干渉には、制御チャネルへの妨害と通話チャネルへの妨害の２種類が考えられ、特にＰＨＳとＤＥＣＴを同一周波数帯域で混在利用する場合には、有害な電波干渉を抑制する仕組みが必要となる。
【００１９】
制御チャネルについては、ＰＨＳ方式は通話チャネルの割り当て、着信の報知に利用しており、制御チャネルの通信が妨害された場合には、システムが停止するような重大な問題が発生してしまう。更に、ＰＨＳの制御チャネルは、図１に示すように、チャネルＦ１２であれば、ＤＥＣＴ方式のチャネルＦ３の帯域に含まれ、チャネルＦ１４であれば、ＤＥＣＴ方式のチャネルＦ４の帯域に含まれ、予め周波数が固定的に決められていることから、制御チャネルの周波数に継続的な妨害があっても、その回避のために周波数を変更できないという問題点があった。
【００２０】
本発明は、上記問題点に鑑みてなされたものであって、ＰＨＳの運転に重要な制御チャネルへの有害な電波干渉を避けることができる無線通信装置および無線信号判別方法を提供することを目的とする。
【課題を解決するための手段】
【００２１】
本発明の無線通信装置は、第１の変調方式を用いて変調された第１の帯域幅の無線信号を用いて送受信を行う無線システムの無線通信装置であって、アンテナより入来する信号を受けて、前記第１の帯域幅の全体と前記第１の帯域幅の一部と重複する第２の帯域幅の全体とを通過させる帯域を有する第１のバンドパスフィルタと、アンテナより入来する信号を受けて、前記第１の帯域幅の一部と前記第２の帯域幅の全体とを通過させる帯域を有する第２のバンドパスフィルタと、前記第１のバンドパスフィルタを通過した信号レベルと前記第２のバンドパスフィルタを通過した信号レベルとの差分が所定の閾値以内である場合に、前記アンテナより入来する信号は前記第２の帯域幅を持つ第２の変調方式を用いる他の無線システムの装置から出力された信号であると判断する制御部とを有することを特徴とする。
【発明の効果】
【００２２】
本発明によれば、妨害波がＰＨＳのものか、他の無線通信装置であるかが判別できるので、ＰＨＳの運転に重要な制御チャネルへの有害な電波干渉を避けることができる。
【図面の簡単な説明】
【００２３】
【図１】ＰＨＳ制御信号とＤＥＣＴスプリアスの帯域の一例を示す図
【図２】本発明の実施の形態１に係るコードレス電話機を示す図
【図３】図２に示すコードレス電話機の親機の構成を示すブロック図
【図４】（Ａ）ＤＥＣＴ方式のチャネルＦ３が中間周波数へダウンコンバートされた状態を説明するための図、（Ｂ）第１のバンドパスフィルタの通過特性を説明するための図、（Ｃ）ＤＥＣＴ方式のチャネルＦ３が入力された第１のバンドパスフィルタの出力を説明するための図、（Ｄ）第２のバンドパスフィルタの通過特性を説明するための図、（Ｅ）ＤＥＣＴ方式のチャネルＦ３が入力された第２のバンドパスフィルタの出力を説明するための図
【図５】（Ａ）ＰＨＳ方式のチャネルＦ１２が中間周波数へダウンコンバートされた状態を説明するための図、（Ｂ）第１のバンドパスフィルタの通過特性を説明するための図、（Ｃ）ＰＨＳ方式のチャネルＦ１２が入力された第１のバンドパスフィルタの出力を説明するための図、（Ｄ）第２のバンドパスフィルタの通過特性を説明するための図、（Ｅ）ＰＨＳ方式のチャネルＦ１２が入力された第２のバンドパスフィルタの出力を説明するための図
【図６】図２に示すコードレス電話機の親機の妨害波検出処理を説明するためのフローチャート
【図７】本発明の実施の形態１の変形例を説明するためのフローチャート
【図８】本発明の他の実施の形態におけるコードレス電話機の親機の構成を示すブロック図
【図９】第１・第２のバンドパスフィルタを通過した受信信号を示す図であり、ＰＨＳ方式の送信パターンの検出を説明するための図
【図１０】第１・第２のバンドパスフィルタを通過した受信信号を示す図であり、ＤＥＣＴ方式の送信パターンの検出を説明するための図
【図１１】第１・第２のバンドパスフィルタを通過した受信信号を示す図であり、ＰＨＳ方式やＤＥＣＴ方式のいずれの信号でない場合を示す図
【発明を実施するための形態】
【００２４】
本願の第１の発明は、第１の変調方式を用いて変調された第１の帯域幅の無線信号を用いて送受信を行う無線システムの無線通信装置であって、アンテナより入来する信号を受けて、第１の帯域幅の全体と第１の帯域幅の一部と重複する第２の帯域幅の全体とを通過させる帯域を有する第１のバンドパスフィルタと、アンテナより入来する信号を受けて、第１の帯域幅の一部と第２の帯域幅の全体とを通過させる帯域を有する第２のバンドパスフィルタと、第１のバンドパスフィルタを通過した信号レベルと第２のバンドパスフィルタを通過した信号レベルとの差分が所定の閾値以内である場合に、アンテナより入来する信号は第２の帯域幅を持つ第２の変調方式を用いる他の無線システムの装置から出力された信号であると判断する制御部とを有することを特徴とした無線通信装置である。
【００２５】
第１の発明によれば、受信した信号が当該無線システムで使用される第１の帯域幅の信号である場合、第１のバンドパスフィルタは受信信号の全帯域幅を通過させるのに対し第２のバンドパスフィルタが通過させる信号は第１の帯域幅より狭い第２の帯域幅であるので、第１のバンドパスフィルタを通過した信号レベルと第２のバンドパスフィルタを通過した信号レベルは大きく異なり、この信号レベルが異なることから受信した信号が当該無線システムで使用される第１の帯域幅の信号であることが判別できるのに対し、受信した信号が第２の帯域幅の信号である場合は第１および第２のバンドパスフィルタは信号のほぼ全帯域幅を通過させ、両バンドパスフィルタを通過した信号のレベルとほぼ等しくなるので、このことから受信した信号は第２の帯域幅の信号であることが判別できる。制御部は、両バンドパスフィルタを通過した信号がほぼ等しい、すなわち両受信信号のレベルの差分が所定の閾値以内である場合にそのときの受信信号は当該無線システムで使用される第１の帯域幅の信号以外の他の信号であることが判定でき、当該無線システム以外の他の無線システムの信号に干渉を与えるような送信の使用を禁止することができる。例えば、この第２の帯域幅の信号がＰＨＳの信号であるならば、ＰＨＳに対して干渉を与えるような送信の使用を禁止することで、ＰＨＳの運転に重要な制御チャネルへの有害な電波干渉を避けることができる。
【００２６】
本願の第２の発明は、第１の発明において、制御部は、第１のバンドパスフィルタを通過した信号レベルが第２のバンドパスフィルタを通過した信号レベルより予め決められた値以上高いときにアンテナより入来する無線信号が第１の変調方式を用いて変調された無線信号であると判断することを特徴とした無線通信装置である。
【００２７】
第２の発明によれば、第１のバンドパスフィルタを通過した信号レベルが第２のバンドパスフィルタを通過した信号レベルより予め決められた値以上高いときには、第１のバンドパスフィルタでは通過できるが、第２のバンドパスフィルタでは全部が通過できない帯域の受信信号をアンテナから受信していると判断できるので、この受信信号を本発明の無線通信装置と同じ第１の変調方式を用いて変調された無線信号と判断できる。
【００２８】
本願の第３の発明は、第１の発明において、アンテナより入来する信号を所定の中間周波数帯域へダウンコンバートする受信周波数変換部を有し、第１のバンドパスフィルタは受信周波数変換部から出力される信号の中の第１の帯域幅の全体と、第１の帯域幅の一部と重複するＰＨＳのチャネル幅を通過させる帯域を有し、第２のバンドパスフィルタは受信周波数変換部から出力される信号の中のＰＨＳの１つのチャネル幅のみを通過させる通過幅を有し、第１のバンドパスフィルタを通過した受信信号を復調処理し、所定のスレッシュレベルを使って２値化した復調信号を出力する復調部を有し、制御部は、第１のバンドパスフィルタを通過した信号レベルと、第２のバンドパスフィルタを通過した信号レベルとの差分が所定の閾値以内である場合にそのときの受信信号はＰＨＳの信号であると判断することを特徴とした無線通信装置である。
【００２９】
第３の発明によれば、受信周波数変換部によりダウンコンバートされた信号のうち、第１のバンドパスフィルタが第１の帯域幅の全体と第１の帯域幅の一部と重複するＰＨＳのチャネル幅を通過させ、第２のバンドパスフィルタがＰＨＳの１つのチャネル幅のみを通過させ、制御部がそれぞれを通過した信号レベルの差分が所定の閾値以内である場合にそのときの受信信号はＰＨＳの信号であると判断することにより、受信信号がＰＨＳからの信号がそれ以外からの信号かを判別することができる。
【００３０】
本願の第４の発明は、第１から第３の発明において、第２のバンドパスフィルタを通過した信号レベルに関する閾値をＳ１、第１のバンドパスフィルタを通過した信号レベルに関する閾値をＳ２とした場合に、制御部は、第２のバンドパスフィルタを通過した信号レベルが閾値Ｓ１以上であるときに、第１のバンドパスフィルタを通過した信号レベルと、第２のバンドパスフィルタを通過した信号レベルとの差分を算出して、この差分が閾値以内であるか否かを判断することを特徴した無線通信装置である。
【００３１】
第４の発明によれば、第２のバンドパスフィルタを通過した信号レベルが閾値Ｓ１未満であれば、第２の変調方式を用いて変調された受信信号であったとしても遠方に位置していると判断できるので、制御部が通信を許可しても、他の無線システムに影響を与えないと判断できる。
【００３２】
本願の第５の発明は、第４の発明において、制御部は、第２のバンドパスフィルタを通過した信号レベルが閾値Ｓ１以上で、かつ第１のバンドパスフィルタを通過した信号レベルが閾値Ｓ２以上である場合にそのときの受信信号はＰＨＳの信号であると判断し、第２のバンドパスフィルタを通過した信号レベルが閾値Ｓ１未満である場合はそのときの受信信号はＰＨＳ以外であると判断することを特徴とした無線通信装置である。
【００３３】
第５の発明によれば、第１のバンドパスフィルタを通過した信号レベルに関する閾値Ｓ２および第２のバンドパスフィルタを通過した信号レベルに関する閾値Ｓ１の２つの閾値を用いた判断によって、ＰＨＳの信号であるかＰＨＳ以外であるかを精度良く判定することができる。
【００３４】
本願の第６の発明は、第５の発明において、閾値Ｓ１と閾値Ｓ２とを閾値Ｓ１＜閾値Ｓ２の関係とした場合に、制御部は、第２のバンドパスフィルタを通過した信号レベルが閾値Ｓ１未満で、かつ第１のバンドパスフィルタを通過した信号レベルが閾値Ｓ２未満であれば、受信信号がＰＨＳであっても受信レベルが低いと判断して通信を許可することを特徴とした無線通信装置である。
【００３５】
第６の発明によれば、第２のバンドパスフィルタを通過した信号レベルが閾値Ｓ１未満で、かつ第１のバンドパスフィルタを通過した信号レベルが閾値Ｓ２未満であることを条件に通信を許可することにより、受信信号がＰＨＳであっても遠方に位置するＰＨＳと判断できるので、制御部が通信を許可しても、ＰＨＳに影響を与えない。
【００３６】
本願の第７の発明は、第１から第６のいずれかの発明において、制御部は、アンテナより入来する信号が、第２の帯域幅を持つ第２の変調方式を用いる他の無線システムの装置から出力された信号であると判断したときに、第１の帯域幅の無線信号を送信する送信部による送信処理を停止することを特徴した無線通信装置である。
【００３７】
第７の発明によれば、制御部が第２の帯域幅を持つ第２の変調方式を用いる他の無線システムの装置から出力された信号であると判断したときに送信処理を停止することで、他の無線システムへの干渉を回避することができる。
【００３８】
本願の第８の発明は、第１の変調方式を用いて変調された第１の帯域幅の無線信号を用いて送受信を行う無線システムの無線通信装置であって、アンテナより入来する信号を受けて、第１の帯域幅の全体と第１の帯域幅の一部と重複する第２の帯域幅の全体とを通過させる帯域を有する第１のバンドパスフィルタと、アンテナより入来する信号を受けて、第１の帯域幅の一部と第２の帯域幅の全体とを通過させる帯域を有する第２のバンドパスフィルタと、第１のバンドパスフィルタを通過した信号のレベルが第１の所定の値を超えたときに測定を開始し、第２のバンドパスフィルタを通過した信号のレベルが第２の所定の閾値を越えたときの時間および第２の所定の閾値を越えた区間の継続時間を測定するタイミング計測部と、タイミング計測部による計測結果がそのときの受信信号は第１の帯域幅より狭い第２の帯域幅を持つ第２の変調方式を用いる他の無線システムの送信パターンに一致したことを示す場合に、そのときの受信信号は他の無線システムの信号であると判断する制御部とを有することを特徴とした無線通信装置である。
【００３９】
第８の発明によれば、タイミング計測部が信号レベルによる送信パターンを計測し、制御部がタイミング計測部が計測した送信パターンにより第２の変調方式か否かを判断することで、当該無線システム以外の他の無線システムの信号に干渉を与えるような送信の使用を禁止することができる。例えば、この第２の帯域幅の信号がＰＨＳの信号であるならば、ＰＨＳに対して干渉を与えるような送信の使用を禁止することで、ＰＨＳの運転に重要な制御チャネルへの有害な電波干渉を避けることができる。
【００４０】
本願の第９の発明は、第８の発明において、アンテナより入来する信号を所定の中間周波数帯域へダウンコンバートする受信周波数変換部を有し、第１のバンドパスフィルタは受信周波数変換部から出力される信号の中の第１の帯域幅の全体と、第１の帯域幅の一部と重複するＰＨＳのチャネル幅を通過させる帯域を有し、第２のバンドパスフィルタは受信周波数変換部から出力される信号の中のＰＨＳの１つのチャネル幅のみを通過させる通過幅を有し、第１のバンドパスフィルタを通過した受信信号を復調処理し、所定のスレッシュレベルを使って２値化した復調信号を出力する復調部を有し、制御部は、タイミング計測部による計測結果がそのときの受信信号は第１の帯域幅より狭い第２の帯域幅を持つＰＨＳの送信パターンに一致したことを示す場合に、そのときの受信信号はＰＨＳの信号であると判断することを特徴とした無線通信装置である。
【００４１】
第９の発明によれば、第１バンドパスフィルタは受信周波数変換部から出力される信号の中の第１の帯域幅の全体と、第１の帯域幅の一部と重複するＰＨＳのチャネル幅を通過させ、第２バンドフィルタは受信周波数変換部から出力される信号の中のＰＨＳの１つのチャネル幅のみを通過させるので、制御部が、タイミング計測部による計測結果がそのときの受信信号は第１の帯域幅より狭い第２の帯域幅を持つＰＨＳの送信パターンに一致したことを示す場合に、受信信号が第２の変調方式を採用したＰＨＳの通信であると判断することができる。
【００４２】
本願の第１０の発明は、第８の発明において、制御部は、第２のバンドパスフィルタを通過した信号のレベルが第２の所定の値を超えたときの発生周期がＰＨＳの制御チャネルの送信周期に一致した場合にそのときの受信信号はＰＨＳの信号であると判断することを特徴とした無線通信装置である。
【００４３】
第１０の発明によれば、第２のバンドパスフィルタを通過した信号のレベルが第２の所定の閾値を越えたときの発生周期を測定することにより、測定結果と既知であるＰＨＳ制御チャネルの送信周期とを比較し、受信した信号がＰＨＳの信号であるか否かをより精度良く判定することができる。
【００４４】
本願の第１１の発明は、第８から第１０のいずれかの発明において、第２のバンドパスフィルタを通過した信号レベルに関する閾値をＳ１、第１のバンドパスフィルタを通過した信号レベルに関する閾値をＳ２とした場合に、制御部は、第２のバンドパスフィルタを通過した信号レベルが閾値Ｓ１未満であるときに、タイミング計測部による計測結果に基づいて、受信信号が第２の変調方式を用いる他の無線システムの送信パターンに一致したか否かを判断することを特徴とした無線通信装置である。
【００４５】
第１１の発明によれば、第２のバンドパスフィルタを通過した信号レベルが閾値Ｓ１未満であれば、第２の変調方式を用いて変調された受信信号であったとしても遠方に位置していると判断できるので、制御部が通信を許可しても、他の無線システムに影響を与えないと判断できる。
【００４６】
本願の第１２の発明は、第８から第１１のいずれかの発明において、制御部は、アンテナより入来する信号が、第２の帯域幅を持つ第２の変調方式を用いる他の無線システムの装置から出力された信号であると判断したときに、第１の帯域幅の無線信号を送信する送信部による送信処理を停止することを特徴とした無線通信装置である。
【００４７】
第１２の発明によれば、制御部が第２の帯域幅を持つ第２の変調方式を用いる他の無線システムの装置から出力された信号であると判断したときに送信処理を停止することで、他の無線システムへの干渉を回避することができる。
【００４８】
本願の第１３の発明は、第１の変調方式を用いて変調された第１の帯域幅の無線信号を用いて送受信を行う無線システムの無線信号判別方法であって、アンテナより入来する信号を受けて、第１のバンドパスフィルタにより、第１の帯域幅の全体と第１の帯域幅の一部と重複する第２の帯域幅の全体とを通過させるステップと、アンテナより入来する信号を受けて、第２のバンドパスフィルタにより、第１の帯域幅の一部と第２の帯域幅の全体とを通過させるステップと、制御部により、第１のバンドパスフィルタを通過した信号レベルと第２のバンドパスフィルタを通過した信号レベルとの差分を算出し、その算出結果が所定の閾値以内である場合に、アンテナより入来する信号は第２の帯域幅を持つ第２の変調方式を用いる他の無線システムの装置から出力された信号であると判断するステップとを含むことを特徴とした無線信号判別方法である。
【００４９】
第１３の発明によれば、受信した信号が当該無線システムで使用される第１の帯域幅の信号である場合、第１のバンドパスフィルタは受信信号の全帯域幅を通過させるのに対し第２のバンドパスフィルタが通過させる信号は第１の帯域幅より狭い第２の帯域幅であるので、第１のバンドパスフィルタを通過した信号レベルと第２のバンドパスフィルタを通過した信号レベルは大きく異なり、この信号レベルが異なることから受信した信号が当該無線システムで使用される第１の帯域幅の信号であることが判別できるのに対し、受信した信号が第２の帯域幅の信号である場合は第１および第２のバンドパスフィルタは信号のほぼ全帯域幅を通過させ、両バンドパスフィルタを通過した信号のレベルとほぼ等しくなるので、このことから受信した信号は第２の帯域幅の信号であることが判別できる。制御部は、両バンドパスフィルタを通過した信号がほぼ等しい、すなわち両受信信号のレベルの差分が所定の閾値以内である場合にそのときの受信信号は当該無線システムで使用される第１の帯域幅の信号以外の他の信号であることが判定でき、当該無線システム以外の他の無線システムの信号に干渉を与えるような送信の使用を禁止することができる。例えば、この第２の帯域幅の信号がＰＨＳの信号であるならば、ＰＨＳに対して干渉を与えるような送信の使用を禁止することで、ＰＨＳの運転に重要な制御チャネルへの有害な電波干渉を避けることができる。
【００５０】
本願の第１４の発明は、第１の変調方式を用いて変調された第１の帯域幅の無線信号を用いて送受信を行う無線システムの無線信号判別方法であって、アンテナより入来する信号を受けて、第１のバンドパスフィルタにより、第１の帯域幅の全体と第１の帯域幅の一部と重複する第２の帯域幅の全体とを通過させるステップと、アンテナより入来する信号を受けて、第２のバンドパスフィルタにより、第１の帯域幅の一部と第２の帯域幅の全体とを通過させるステップと、タイミング計測部により、第１のバンドパスフィルタを通過した信号のレベルが第１の所定の値を超えたときに測定を開始し、第２のバンドパスフィルタを通過した信号のレベルが第２の所定の閾値を越えたときの時間および第２の所定の閾値を越えた区間の継続時間を測定するステップと、制御部により、タイミング計測部による計測結果がそのときの受信信号は第１の帯域幅より狭い第２の帯域幅を持つ第２の変調方式を用いる他の無線システムの送信パターンに一致したことを示す場合に、そのときの受信信号は他の無線システムの信号であると判断するステップとを含むことを特徴とした無線信号判別方法である。
【００５１】
第１４の発明は、タイミング計測部が信号レベルによる送信パターンを計測し、制御部がタイミング計測部が計測した送信パターンにより第２の変調方式か否かを判断することで、当該無線システム以外の他の無線システムの信号に干渉を与えるような送信の使用を禁止することができる。例えば、この第２の帯域幅の信号がＰＨＳの信号であるならば、ＰＨＳに対して干渉を与えるような送信の使用を禁止することで、ＰＨＳの運転に重要な制御チャネルへの有害な電波干渉を避けることができる。
【００５２】
（実施の形態１）
本発明の実施の形態１に係る無線通信装置を、コードレス電話機を例に、図面に基づいて説明する。
【００５３】
図２に示すコードレス電話機１０は、電話回線網と接続された１台の親機２０と、３台の子機３０（Ａ〜Ｃ）とを備えている。この親機２０と子機３０とは、ＤＥＣＴ方式で通信する。ＤＥＣＴ方式とは、１０ｍｓ周期の１フレームに２４スロット（アップリンク用に１２スロット、ダウンリンク用に１２スロット）を含んで構成されるＴＤＭＡ／ＴＤＤ方式で通信される。また、最低１スロットの制御チャネルスロットを備えており、制御チャネルも通話チャネルも１０ｍｓのフレーム周期で送受信される。また、各々の周波数／スロット位置は任意であり、周波数は、全５周波数が使用される。
【００５４】
次に、親機２０について図３に基づいて説明する。なお、図３においては、無線信号を送信する送信部は図示していない。親機２０は、ＤＥＣＴ帯域フィルタ２ａと、ＲＦ増幅器２ｂと、受信周波数変換部２ｃと、第１のバンドパスフィルタ２ｄと、ＦＳＫ（Ｆｒｅｑｕｅｎｃｙ  Ｓｈｉｆｔ  Ｋｅｙｉｎｇ）検波部２ｅと、ＤＥＣＴ信号処理部２ｆとを備えている。
【００５５】
更に、親機２０は、第１受信レベル検出部２ｇと、第２のバンドフィルタ２ｈと、第２受信レベル検出部２ｊと、閾値記憶部２ｋと、受信種別判定部２ｍと、制御部２ｎとを備えている。
【００５６】
ＤＥＣＴ帯域フィルタ２ａは、アンテナＡから入来した受信信号から、第１の帯域幅の一例である、ＤＥＣＴ方式で使用される帯域（以下、ＤＥＣＴ帯域と称する。）における全部のチャネル（１８９３．５ＭＨｚ〜１９０６．１ＭＨｚ）を通過させ、他の帯域を減衰させて、ＲＦ増幅器２ｂへ出力するバンドパスフィルタである。なお、第１の帯域幅は、特に１８９３．５ＭＨｚ〜１９０６．１ＭＨｚに制限される必要はない。
【００５７】
ＲＦ増幅器２ｂは、ＤＥＣＴ帯域を通過した高周波信号を増幅する。受信周波数変換部２ｃは、増幅されたＤＥＣＴ帯域信号を中間周波数帯域へダウンコンバートして第１のバンドパスフィルタ２ｄへ出力する。
【００５８】
第１のバンドパスフィルタ２ｄは、中間周波数帯域へダウンコンバートされたＤＥＣＴ帯域信号から、更にＤＥＣＴの１つのチャネル（以下、ＤＥＣＴチャネルと称する。）の周波数幅（１．７５２ＭＨｚ幅）に含まれる信号を通過させるように制限する。
【００５９】
すなわち、第１のバンドパスフィルタ２ｄは、ＤＥＣＴの１つのチャネルの周波数幅（１．７５２ＭＨｚ幅）の全体と、ＰＨＳの１つのチャネルの周波数幅（３００ｋＨｚ幅）の全体を通過させる。
【００６０】
ＦＳＫ検波部２ｅは、第１のバンドパスフィルタ２ｄを通過した受信信号を復調処理し、所定のスレッシュレベルを使って２値化した復調信号を出力する復調部として機能するものである。ＤＥＣＴ信号処理部２ｆは、復調信号から受信パケットを抽出して、制御信号や通話信号に応じて処理を行う。第１受信レベル検出部２ｇは、第１のバンドパスフィルタ２ｄにより選択されたＤＥＣＴチャネルの信号レベル（ＲＳＳＩ）を測定する。
【００６１】
第２のバンドフィルタ２ｈはＰＨＳの周波数幅（３００ｋＨｚ幅）を通過させる狭帯域幅を有し、中間周波数帯域へダウンコンバートされた受信信号に対してＰＨＳの１つのチャネル（以下、ＰＨＳチャネルと称する。）の周波数幅（３００ｋＨｚ幅）に更に制限する。ＰＨＳ制御チャネルの信号が受信された場合は該信号を全て通過させ、ＤＥＣＴの信号が受信された場合はＤＥＣＴの周波数幅の一部（周波数幅：３００ｋＨｚ）を通過させる。
【００６２】
第２受信レベル検出部２ｊは、第２のバンドパスフィルタ２ｈにより選択された信号のレベルを測定する。
【００６３】
閾値記憶部２ｋは、チャネルの使用の可否を判定するための閾値Ｓ１〜Ｓ３が格納されている。閾値Ｓ１は、受信信号がＰＨＳからのものであれば、このＰＨＳの通信に影響を与えてしまうほど接近しているか、それとも通信に影響がない程度に離れているかを信号レベルから判定するための閾値であり、例えば閾値Ｓ１は−８２ｄＢｍ程度が望ましい。閾値Ｓ２は、ＰＨＳに限らず他の無線通信装置の通信に影響を与えるほどの信号レベルか否かを判定するための閾値であり、例えば閾値Ｓ２は−６２ｄＢｍ程度が望ましい。閾値Ｓ３は、第１のバンドパスフィルタを通過した信号レベルと、第２のバンドパスフィルタを通過した信号レベルとが、同じ信号レベルと見なすことができるか否かを判定するための閾値であり、例えば、第１のバンドパスフィルタ２ｄを通過した信号レベルと第２のバンドパスフィルタ２ｈを通過した信号レベルとの差が３ｄＢ以内であれば両バンドパスフィルタを通過した信号は同じレベルと見なすことができる。
【００６４】
閾値Ｓ１と閾値Ｓ２との関係は、閾値Ｓ１が、微弱な信号でも送信元がＰＨＳであると特定できれば通信を禁止するための判定基準であり、閾値Ｓ２が、使用チャネルの帯域が重なっても通信の影響が少ない他のＤＥＣＴ方式の無線通信装置と判断されたときに通信を禁止するための判定基準であるため、閾値Ｓ１＜閾値Ｓ２となる。
【００６５】
受信種別判定部２ｍは、第１受信レベル検出部２ｇから出力されたＤＥＣＴチャネルの信号レベルと、第２受信レベル検出部２ｊから出力されたＰＨＳチャネルの信号レベルとの差（Ｐ１−Ｐ２）が所定の閾値（閾値Ｓ３）以上か未満であるかを制御部２ｎへ通知する。
【００６６】
制御部２ｎは、第１受信レベル検出部２ｇにて測定された信号レベルと、第２受信レベル検出部２ｊにて測定された信号レベルと、受信種別判定部２ｍからの判定と、閾値記憶部２ｋに格納された各種の閾値とに基づいて、受信信号がＰＨＳ方式かＤＥＣＴ方式からのものかを判断し、チャネルの使用の可否を決定する。
【００６７】
以上のように構成された本発明の実施の形態１に係るコードレス電話機の動作について、図面に基づいて説明する。本実施の形態１では、ＰＨＳ方式の制御チャネルのチャネルＦ１２（中心周波数１９８８．４５ＭＨｚ）を含む帯域であるＤＥＣＴ方式のチャネルＦ３（中心周波数１８９９．０７２ＭＨｚ）を受信する場合を例に説明する。
【００６８】
アンテナＡから入来した受信信号は、チャネルＦ３を含むＤＥＣＴ帯域（１８９３．５ＭＨｚから１９０６．１ＭＨｚまで）が、ＤＥＣＴ帯域フィルタ２ａを通過し、他の周波数帯は制限される。ＤＥＣＴ帯域フィルタ２ａを通過した受信信号は、ＲＦ増幅器２ｂにより増幅される。そして、受信周波数変換部２ｃによりＤＥＣＴ帯域から中間周波数の帯域にダウンコンバートされる。中間周波数の中心は、ＤＥＣＴの１チャネルの周波数幅１．７５２ＭＨｚ幅のほぼ半分である８６４ｋＨｚである。
【００６９】
受信周波数変換部２ｃによりダウンコンバートされた受信信号は、一方で第１のバンドパスフィルタ２ｄによりＤＥＣＴチャネルの１チャネル分に制限され、他方で第２のバンドパスフィルタ２ｈによりＰＨＳチャネルの１チャネル分に制限される。
【００７０】
ここで、第１のバンドパスフィルタ２ｄおよび第２のバンドパスフィルタ２ｈの特性と通過信号について、図４および図５に基づいて詳細に説明する。
【００７１】
ＤＥＣＴ方式のチャネルＦ３における受信信号は、図４（Ａ）に示すように、受信周波数変換部２ｃにより中心周波数ｆｃからダウンコンバート分の周波数ｆＬを引いた周波数ｆｃ−ｆＬを中心とした帯域に変換される。図４（Ｂ）に示すように、第１のバンドパスフィルタ２ｄでは受信信号が周波数ｆｃ−ｆＬを中心として１チャネル分である１．７５２ＭＨｚの帯域に制限されるので、ＤＥＣＴ方式のチャネルＦ３の信号は、図４（Ｃ）に示すように、そのまま第１のバンドパスフィルタ２ｄを通過することができる。第２のバンドパスフィルタ２ｈでは、図４（Ｄ）に示すように第１のバンドパスフィルタ２ｄで選択されたチャネルに含まれるＰＨＳチャネルに制限されるため、図４（Ｅ）に示すようにチャネルＦ３の一部分のみしか通過できない。
【００７２】
次に、図５（Ａ）に示すＰＨＳ方式のチャネルＦ１２であるが、チャネルＦ１２における受信信号は、図５（Ａ）の場合と同様に、受信周波数変換部２ｃにより中心周波数ｆｃからの相対的な周波数のずれを維持したままダウンコンバートされる。第１のバンドパスフィルタ２ｄでは、図５（Ｂ）に示すようにＤＥＣＴ方式のチャネルＦ３が通過できる帯域幅であるため、図５（Ｃ）に示すようにＰＨＳ方式のチャネルＦ１は通過することができる。また、第２のバンドパスフィルタ２ｈは、図５（Ｄ）に示すようにＰＨＳチャネルは通過できる周波数幅を有しているため、図５（Ｅ）に示すようにチャネルＦ１２は第２のバンドパスフィルタ２ｈを通過することができる。
【００７３】
第１のバンドパスフィルタ２ｄと第２のバンドパスフィルタ２ｈとは、このような通過特性を有している。
【００７４】
次に、コードレス電話機１０の親機２０における妨害波検出処理について図６に基づいて説明する。この妨害波検出処理は、ＰＨＳ方式の制御チャネルの帯域を含むようなＤＥＣＴ方式の帯域を通信に使用する際に行われる。
【００７５】
図６に示すように、ＤＥＣＴ方式のチャネルＦ３の帯域を連続的に受信し、第１のバンドパスフィルタ２ｄを通過した信号は、第１受信レベル検出部２ｇにより信号レベルが測定され、第２のバンドパスフィルタ２ｈを通過した信号は第２受信レベル検出部２ｊにより信号レベルが測定される（ステップＳ１０）。
【００７６】
制御部２ｎは、閾値記憶部２ｋから閾値Ｓ１を読み出し、第２受信レベル検出部２ｊにより測定された信号レベルＰ２が閾値Ｓ１以上か否かを判定する（ステップＳ２０）。信号レベルＰ２が閾値Ｓ１以上であれば近くにＰＨＳ固定局が有る可能性が高いと判断し、ＰＨＳの制御チャネルであるチャネルＦ１２で干渉を起こさないようにチャネルＦ３による通信を禁止する必要がある。しかし、チャネルＦ３と重なる帯域をＰＨＳが使用していたとしても、信号レベルＰ２が閾値Ｓ１未満であれば、ＰＨＳが遠方にあるために通信への影響は少ないと判断できる。
【００７７】
ステップＳ２０にて、信号レベルＰ２が閾値Ｓ１未満であると判定された場合には、制御部２ｎは、第１受信レベル検出部２ｇにより測定された信号レベルＰ１と、閾値記憶部２ｋから読み出された閾値Ｓ２とを比較して、信号レベルＰ１が閾値Ｓ２以上か否かを判定する（ステップＳ３０）。これは、信号レベルＰ１が閾値Ｓ１より大きい閾値Ｓ２以上であれば、ＰＨＳ以外のＤＥＣＴ方式の他の無線通信装置からの妨害波であると判断できるため、ＤＥＣＴ同士の使用帯域が重なることで通信に影響を与えてしまうので、妨害波を検出したスロットでチャネルＦ３での使用を禁止する（ステップＳ４０）。
【００７８】
ステップＳ３０にて、信号レベルＰ１が閾値Ｓ２未満であると判定された場合には、ＰＨＳ方式のＦ１２での信号は未検出（または受信強度が閾値Ｓ１未満）で、かつＤＥＣＴ方式のＦ３での信号は未検出（または受信強度が閾値Ｓ２未満）であるため、制御部２ｎはＤＥＣＴ方式のチャネルＦ３での使用を送信部（図示せず）に許可する（ステップＳ５０）。
【００７９】
ステップＳ２０にて、信号レベルＰ２が閾値Ｓ１以上であると判定された場合、制御部２ｎは、信号レベルＰ１と信号レベルＰ２との差（Ｐ１−Ｐ２）を算出する。そして、制御部２ｎは、算出した値と、閾値記憶部２ｋから読み出した閾値Ｓ３とを比較する（ステップＳ６０）。ステップＳ６０の結果が、閾値Ｓ３未満であれば、受信信号はＰＨＳの信号であると見なしてチャネルＦ３での使用を禁止する。これは、図５（Ａ）〜同図（Ｅ）に示すように、送信元がＰＨＳであれば、チャネルＦ１２における信号は、第１のバンドパスフィルタ２ｄや第２のバンドパスフィルタ２ｈをそのまま通過するため、それぞれを通過した受信信号は、信号レベルがほぼ等しくなるからである。従って、信号レベルＰ１と信号レベルＰ２との差分の絶対値が、ほぼ等しいと見なすための判定基準となる閾値Ｓ３より小さければ、受信信号はＰＨＳからのものであると判断できる。
【００８０】
信号レベルＰ１と信号レベルＰ２との差分を算出するときに、算出した値の絶対値とすることもできる。これは、受信信号がＰＨＳからのものである場合、第１のバンドパスフィルタ２ｄに対して狭帯域である第２のバンドパスフィルタ２ｈからの出力が、第１のバンドパスフィルタ２ｄからの出力より大きくなる場合があるからである。このような場合に、ステップＳ６０にて、送信元がＰＨＳであると判定された場合には、制御部２ｎはチャネルＦ３における使用を禁止する（ステップＳ７０）。なお、使用を禁止するとは、そのチャネルにおいては信号を送信しないように設定することを意味し、具体的には図示しない送信回路が他のチャネルを使って送信する。
【００８１】
このようにＰＨＳからの制御チャネルの場合、第１のバンドパスフィルタ２ｄを通過した受信信号の信号レベルと第２のバンドパスフィルタ２ｈを通過した受信信号の信号レベルはほぼ等しくなる。従って、制御部２ｎがこれらを通過した信号レベルの差分が所定の閾値（閾値Ｓ３）以内である場合にそのときの受信信号をＰＨＳの信号であると判断して、周波数が重なるチャネルの使用を禁止することで、ＰＨＳの運転に重要な制御チャネルへの有害な電波干渉を避けることができる。
【００８２】
また、第２のバンドパスフィルタ２ｈを通過した信号レベルが閾値Ｓ１未満で、かつ第１のバンドパスフィルタ２ｈを通過した信号レベルが閾値Ｓ２未満である場合、受信信号がＰＨＳであっても遠方に位置するＰＨＳと判断できるので、この場合は制御部２ｎが通信を許可してもＰＨＳの通信に影響を与えない。
【００８３】
（実施の形態２）
本発明の他の形態について図７に基づいて説明する。なお、図７においては、図６と同じ内容のものは同じ符号で図示している。
【００８４】
本実施の形態１では、図６のステップＳ６０に示すように、第１のバンドパスフィルタ２ｄを通過した受信信号の信号レベルと、第２のバンドパスフィルタ２ｈを通過した受信信号の信号レベルとの差分が閾値Ｓ３未満であったときに、制御部２ｎは受信信号がＰＨＳであると判定していた。この変形例では、図７のステップＳ６０ｘに示すように、第１のバンドパスフィルタ２ｄを通過した受信信号の信号レベルと、第２のバンドパスフィルタ２ｈを通過した受信信号の信号レベルとの差分が、閾値Ｓ４以上であれば、受信信号がＰＨＳからのものでなくＤＥＣＴ方式を含む他の無線通信装置からのものであると判定するものである。この場合の閾値Ｓ４は、閾値Ｓ３と同じ値であっても良いし、閾値Ｓ４＞閾値Ｓ３の関係となるようにしても良い。
【００８５】
この閾値Ｓ４は、閾値Ｓ１〜Ｓ３と同様に、閾値記憶部２ｋに格納される。
【００８６】
このようにステップＳ６０ｘのように判定しても、受信信号がＰＨＳからのものか否かを判定することができる。
【００８７】
上述した実施の形態では、ＰＨＳ方式のチャネルＦ１２を優先させて、ＤＥＣＴ方式のチャネルＦ３の使用を禁止する場合を示したが、チャネルＦ１２に限らず、ＰＨＳの他のチャネルを優先させても良い。例えば、ＰＨＳ方式の制御チャネルとして、チャネルＦ１４を優先させる場合は、ＤＥＣＴ方式のチャネルＦ４の使用を禁止すれば良い。
【００８８】
上述した実施の形態では、ＰＨＳ方式を優先させる場合を示したが、ＤＥＣＴ方式を優先させることも可能である。また、通信方式として、ＰＨＳ方式とＤＥＣＴ方式の組み合わせを示したが、使用する帯域幅が重複する通信方式であれば、これらに限定されない。
【００８９】
なお、第２のバンドパスフィルタ２ｈを通過した信号のレベルが所定の閾値を越えた区間の継続時間を測定することにより、受信信号がＰＨＳであるか否かをより精度良く判定することができる。図８は、受信した信号がＰＨＳの信号であるか否かをより精度良く判定可能なようにした実施の形態におけるコードレス電話機の親機の構成を示すブロック図である。図８において、２ｐは第１のバンドパスフィルタ２ｄを通過した信号のレベルが第１の所定の値を超えたときに測定を開始し、第２のバンドパスフィルタ２ｈを通過した信号のレベルが第２の所定の閾値を越えた区間の継続時間を測定するタイミング計測部である。制御部２ｎは、タイミング計測部２ｐによる計測結果が、そのときの受信信号がＰＨＳの送信時間に一致したか否かを判定し、ＰＨＳの信号であると判断した場合、チャネルＦ３の使用を禁止するように送信部（図示せず）へ設定する。
【００９０】
また第２のバンドパスフィルタ２ｈを通過した信号のレベルが、第２の所定の値を超えたときの発生周期を測定することにより、受信信号がＰＨＳ制御チャネルであるか否かを判定することもできる。この場合、タイミング計測部２ｐは受信レベルが第２の所定の値を超えたときに計測を開始し、一旦、受信レベルが第２の所定の値を下回り、次に受信レベルが第２の所定の値を超えるまでの時間、更にその次に受信レベルが第２の所定の値を超えるまでに時間を計測することで周期を計測する。制御部２ｎは、タイミング計測部２ｐによる計測した周期がＰＨＳの制御信号を送信する周期（送信パターン）に一致する否かを、制御信号パターン記憶部２ｑに格納されたＰＨＳの送信パターンを読み出して判定し、一致によりＰＨＳの信号であると判断した場合、チャネルＦ３の使用を禁止するように送信部へ設定する。
【００９１】
図９に示す例では、第２のバンドパスフィルタ２ｈを通過した信号のレベルＰ２（図９参照）が閾値Ｓ１を越えた区間の継続時間が０．６２ｍＳである。また次に信号レベルＰ２が閾値Ｓ１を越えた区間の継続時間も０．６２ｍＳで、その周期が１２５ｍＳであり、受信信号はＰＨＳの送信パターンにほぼ一致しているので、ＰＨＳの信号であると判定される。
【００９２】
図１０に示す例では、第２のバンドパスフィルタ２ｈを通過した信号のレベルＰ２が閾値Ｓ１を越えた区間の継続時間が０．４１ｍＳであり、その周期が１０ｍＳであることから、この場合の受信信号はＤＥＣＴの送信時間にほぼ一致しているのでＤＥＣＴの信号であると判定される。
【００９３】
図１１に示す例では、第２のバンドパスフィルタ２ｈを通過した信号のレベルＰ２が閾値Ｓ１を越えたときに継続時間の測定を開始するが、閾値Ｓ１を越える周期がＰＨＳおよびＤＥＣＴのいずれのパターンとも一致しないので、この場合は無視される。
【００９４】
このようにタイミング計測部により、そのときの受信信号の継続時間および発生周期がＰＨＳの制御チャネルの送信パターンに一致するか否かを判定することにより、受信した信号がＰＨＳの信号であるか否かをより精度良く判定することができる。
【産業上の利用可能性】
【００９５】
本発明は、無線通信分野など産業上の様々な分野において有用であり、特に、ＰＨＳシステムとＤＥＣＴシステム間の干渉回避に適している。
【符号の説明】
【００９６】
１０    コードレス電話機
２０    親機
２ａ    ＤＥＣＴ帯域フィルタ
２ｂ    ＲＦ増幅器
２ｃ    受信周波数変換部
２ｄ    第１のバンドパスフィルタ
２ｅ    ＦＳＫ検波部
２ｆ    ＤＥＣＴ信号処理部
２ｇ    第１受信レベル検出部
２ｈ    第２のバンドパスフィルタ
２ｊ    第２受信レベル検出部
２ｋ    閾値記憶部
２ｍ    受信種別判定部
２ｎ    制御部
２ｐ    タイミング計測部
２ｑ    制御信号パターン記憶部
Ａ    アンテナ
３０    子機
Ｐ１，Ｐ２    信号レベル
Ｓ１〜Ｓ４    閾値
【図１】
2011239171.tif 000003
【図２】
2011239171.tif 000004
【図３】
2011239171.tif 000005
【図４】
2011239171.tif 000006
【図５】
2011239171.tif 000007
【図６】
2011239171.tif 000008
【図７】
2011239171.tif 000009
【図８】
2011239171.tif 000010
【図９】
2011239171.tif 000011
【図１０】
2011239171.tif 000012
【図１１】
2011239171.tif 000013